(57)【要約】【課題】負荷変動に速やかに対応でき、運転効率を向上させ得る空調装置及びその制御方法を提供する。【解決手段】冷水ポンプ３により複数の冷凍機５から送出された冷水を往一次ヘッダー１ａに集束し、往二次ヘッダー１ｂから複数の負荷６に送給し、負荷６からの還流水を還一次ヘッダー２ａに集束し、還二次ヘッダー２ｂから冷凍機に戻すように配管接続し、往ヘッダー間接続管路１ｃと還ヘッダー間接続管路２ｃとの間にバランス管７を接続し、要所の水温を検出する温度センサ１１〜１４を設け、制御部４により検出された温度に基づいて冷凍機５による冷水の温度制御及び冷水ポンプ３による流量制御を行う。【選択図】  図１
2006132918.tif 000002
【特許請求の範囲】
【請求項１】
往ヘッダー及び還ヘッダーを介して一次側を熱源とし、二次側を負荷とする空調装置であって、
熱源ポンプにより複数の熱源から送出された熱源水を前記往ヘッダーに集束し、複数の負荷それぞれに前記熱源水を送給し、各負荷からの還流水を前記還ヘッダーに集束し、各熱源に還流水を戻すように配管接続すると共に、前記往ヘッダーと前記還ヘッダーとの間にバランス管を接続し、
前記往ヘッダー内の熱源水の温度を検出する熱源水温度検出手段を設け、
前記熱源水温度検出手段によって検出された温度に基づいて前記熱源の温度制御を行う制御手段が設けられてなることを特徴とする空調装置。
【請求項２】
前記還ヘッダーの入口における還流水の温度を検出する還流水一次温度検出手段と、前記還ヘッダーの出口における還流水の温度を検出する還流水二次温度検出手段と、前記バランス管内の水温を検出するバランス管内水温検出手段とを設け、
前記熱源水温度検出手段、還流水一次温度検出手段、還流水二次温度検出手段及びバランス管内水温検出手段によって検出された温度に基づいて前記熱源の温度制御及び前記熱源ポンプによる流量制御を行う制御手段が設けられたことを特徴とする請求項１に記載の空調装置。
【請求項３】
前記複数の熱源のうち特定の熱源に対応する熱源ポンプを流量可変構造とし、その熱源ポンプの流量を制御手段による制御対象とする請求項２に記載の空調装置。
【請求項４】
前記往ヘッダーは、前記熱源ポンプにより複数の熱源から送出された熱源水を集束する往一次ヘッダーと、前記複数の負荷それぞれに熱源水を供給する往二次ヘッダーとから構成され、前記還ヘッダーは、各負荷からの還流水を集束する還一次ヘッダーと、各熱源に還流水を戻す還二次ヘッダーとから構成された請求項１に記載の空調装置。
【請求項５】
少なくとも往一次ヘッダーと往二次ヘッダーからなる往ヘッダー及び少なくとも還一次ヘッダーと還二次ヘッダーからなる還ヘッダーを介して一次側を熱源とし、二次側を負荷とする空調装置の制御方法であって、
前記空調装置は、熱源ポンプにより複数の熱源から送出された熱源水を前記往一次ヘッダーに集束し、前記往二次ヘッダーから複数の負荷それぞれに熱源水を供給し、各負荷からの還流水を前記還一次ヘッダーに集束し、前記還二次ヘッダーから各熱源に還流水を戻すように配管接続すると共に、前記往一次ヘッダーと前記還一次ヘッダーの出口から前記還二次ヘッダーの入口に至る管路との間にバランス管を接続して構成され、
前記往一次ヘッダーから前記往二次ヘッダーに至る管路内の熱源水温度を検出して、この熱源水温度に基づいて熱源を温度制御することを特徴とする空調装置の制御方法。
【請求項６】
前記還一次ヘッダーの出口における還流水一次温度と、前記還二次ヘッダーの入口における還流水二次温度とを検出して、前記還流水一次温度と前記還流水二次温度との温度差に基づいて熱源ポンプを流量制御し、前記バランス管内の水温検出に基づいて熱源ポンプを流量制御することを特徴とする請求項５に記載の空調装置の制御方法。
【請求項７】
前記往ヘッダー内の熱源水温度と、前記熱源から送出された熱源水の温度とが一致するように、熱源を温度制御する請求項５に記載の空調装置の制御方法。
【請求項８】
前記還流水一次温度と前記還流水二次温度との温度差に基づいて複数の熱源のうち特定の熱源に対応する前記熱源ポンプを流量制御する請求項６に記載の空調装置の制御方法。
【請求項９】
前記バランス管内の水温検出に基づいて複数の熱源のうち特定の熱源に対応する前記熱源ポンプを流量制御する請求項６に記載の空調装置の制御方法。
【発明の詳細な説明】
【技術分野】
【０００１】
本発明は、熱源で生成された熱源水を往ヘッダーを介して負荷に供給し、負荷で熱交換がなされた還流水を環ヘッダーを介して熱源に戻し、熱回復させて再び負荷に供給する空調装置及びその制御方法に関するものである。
【背景技術】
【０００２】
冷暖房を実施するために、熱源により所定温度に生成した水を負荷に送水し、負荷で空気と熱交換して温度変化した還流水を熱源に戻して所定温度に回復させ、再び負荷に送水する熱源水の循環により空調装置が構成される。
【０００３】
このような空調装置の従来技術として、図４に示すように、複数の冷凍機１０９と複数の負荷１０３とを往ヘッダー１０１及び環ヘッダー１０５を介して接続し、複数の冷凍機１０９から供給される冷水を複数の負荷１０３に供給するように構成したものが知られている（例えば特許文献１参照）。
【０００４】
この空調装置では、往ヘッダー１０１及び還ヘッダー１０５を介して一次側を熱源とし、二次側を負荷１０３とする空調システムが構成されており、往ヘッダー１０１と環ヘッダー１０５との間に配設されたバランス管１０６に流量計１１２を設けると共に、各冷凍機１０９の入口と出口との間にバルブ１１７を配したバイパス管１１６を設け、各冷凍機１０９からの流量を制御する流量可変冷水ポンプ１１４及び負荷１０３に供給する冷水の流量を制御するポンプ流量可変制御装置１０２を設けて構成されている。
【０００５】
本空調装置においては、流量計１１２によって検出される数値を指標として一次側水量及び二次側水量を制御し、外気状態と負荷状態とバランス管１０６内の流量変化とを検出し、冷凍機１０９の立ち上げ及び停止に必要な所定時間後の負荷状態及び流量を事前に予測推論して冷凍機１０９を発停制御し、バイパス管１０６のバルブ１１７を制御して、負荷１０３への送水温度が急変することを極力防止するようにしている。
【０００６】
すなわち、負荷が増加すると負荷への流量が増加するので、バイパス管を通じて還流水が送水側に戻るバイパス流量が増加して負荷に送給する送水温度が上昇する。一方、負荷が減少すると負荷への流量が減少するので、バイパス管を通じて負荷への送水の一部が還流水に混合し、冷凍機に還流される還流水温度が低下し、冷凍機の負荷率が低下する。
【０００７】
これを防止すべく往ヘッダーと還ヘッダーとの間を接続するバランス管に流量計を配し、バランス管内を流れる水量がゼロになるように制御する。また、バイパス管のバルブを開閉制御して冷凍機の立ち上げ、立ち下げ時に送水温度が上昇した冷水を負荷に送ることを防止している。
【特許文献１】特開平４−３２７７３８号公報（第２〜３頁、図１）
【発明の開示】
【発明が解決しようとする課題】
【０００８】
以上のように従来の技術では、送水温度が上昇した冷水を負荷に送ることを防止するため、バイパス管の流量を調整する必要がある。すなわち、複数のバイパス管を設ける等の複雑な構成や流量計などの設置により、設備や工事が複雑となるとともに、制御動作も複雑となり、設備や工事の費用も増加するという課題があった。
【０００９】
また、冷凍機の負荷率が考慮されていないため、空調装置としての消費電力が徒に増加する課題があった。ここで冷凍機の負荷率とは、冷凍機の定格の冷却能力に対する、実際の運転中の冷却能力を百分率表示したもので、例えば、冷凍機入口水温が定格の標準時より上昇すれば、出口水温は一定のため、冷却能力（出入口温度差）は小さくなり、負荷率も低くなる。
【００１０】
本発明は、このような従来の課題を解決するものであり、簡易な制御構造と精度の高い制御方法により、送水温度が上昇した冷水を負荷に送ることを防止し、二次側冷水送水温度の補償を可能とすると共に、熱源を高い負荷率で運転することにより消費電力比を高め、不要な電力の消費の削減を図る空調装置とその制御方法を提供することを目的とする。
【課題を解決するための手段】
【００１１】
本発明は、上記目的を達成するために、往ヘッダー及び還ヘッダーを介して一次側を熱源とし、二次側を負荷とする空調装置であって、熱源ポンプにより複数の熱源から送出された熱源水を往ヘッダーに集束し、複数の負荷それぞれに熱源水を送給し、各負荷からの還流水を還ヘッダーに集束し、各熱源に還流水を戻すように配管接続すると共に、往ヘッダーと還ヘッダーとの間にバランス管を接続し、往ヘッダー内の熱源水の温度を検出する熱源水温度検出手段を設け、熱源水温度検出手段によって検出された温度に基づいて熱源の温度制御を行う制御手段が設けられてなることを特徴とする。
【００１２】
上記構成によれば、往ヘッダー内の熱源水の温度を検出することにより、負荷が増え、二次側の還流水がバランス管を、還ヘッダーから往ヘッダーへと流れる（以下、「逆流する」と記載）ことを速やかに検出し、制御手段により熱源の温度制御を実行することができる。
【００１３】
さらに還ヘッダーの入口における還流水の温度を検出する還流水一次温度検出手段と、還ヘッダーの出口における還流水の温度を検出する還流水二次温度検出手段と、バランス管内の水温を検出するバランス管内水温検出手段とを設け、熱源水温度検出手段、還流水一次温度検出手段、還流水二次温度検出手段及びバランス管内水温検出手段によって検出された温度を必要に応じて選択し、その選択された温度に基づいて熱源の温度制御及び熱源ポンプによる流量制御を行う制御手段が設けられてなることを特徴とする。
【００１４】
上記構成によれば、配管接続構造と要所への温度検出手段の配設とにより、負荷変動に伴う一次側と二次側との間の流量バランスの崩れを速やかに検出し、制御手段により熱源の温度制御と流量制御とを実行することができる。
【００１５】
上記構成において、複数の熱源のうち特定の熱源に対応する熱源ポンプを流量可変構造とし、それを制御手段による制御対象とすることにより、制御構成をより簡易に構成することができる。
【００１６】
また、往ヘッダーは、熱源ポンプにより複数の熱源から送出された熱源水を集束する往一次ヘッダーと、複数の負荷それぞれに熱源水を供給する往二次ヘッダーとから構成され、還ヘッダーは、各負荷からの還流水を集束する還一次ヘッダーと、各熱源に還流水を戻す還二次ヘッダーとから構成されている。
【００１７】
上記構成によれば、往ヘッダー内では複数の熱源からの熱源水を混合し、還ヘッダー内では各負荷からの還流水を混合できるので、各負荷及び各熱源に均一な温度の熱源水、還流水を供給できる。
【００１８】
また、往ヘッダー及び還ヘッダーを介して一次側を熱源とし、二次側を負荷とする空調装置の制御方法であって、空調装置は、熱源ポンプにより複数の熱源から送出された熱源水を往ヘッダーに集束し、複数の負荷それぞれに熱源水を供給し、各負荷からの還流水を還ヘッダーに集束し、各熱源に還流水を戻すように配管接続すると共に、往ヘッダーと還ヘッダーとの間にバランス管を接続して構成され、往ヘッダー内の熱源水温度を検出して、この熱源水温度に基づいて熱源を温度制御することを特徴とする。
【００１９】
上記制御方法によれば、往ヘッダー内の熱源水温度によりバランス管の逆流が速やかに検出でき、熱源の温度制御を実行することができる。
【００２０】
また、上記制御方法に加えて、還ヘッダーの入口における還流水一次温度と、還二次ヘッダーの出口における還流水二次温度とを検出して、還流水一次温度と還流水二次温度との温度差に基づいて熱源ポンプを流量制御し、バランス管内の水温検出に基づいて熱源ポンプを流量制御することを特徴とする。
【００２１】
上記制御方法によれば、負荷変動に伴う一次側と二次側との間の流量バランスの崩れを速やかに検出し、熱源の温度制御と流量制御とを実行することができるので、制御が簡易であり、より確実な制御を速やかに実行することができ、熱源の負荷率が高い状態を保って運転することができる。
【００２２】
また、上記制御方法において、往ヘッダー内の熱源水温度と、熱源から送出された熱源水の温度とが一致するように、熱源を温度制御することにより、制御構成が簡易となり、負荷に送給する熱源水温度の変化を防止することができる。
【００２３】
また、還流水一次温度と還流水二次温度との温度差に基づいて特定の熱源に対応する熱源ポンプを流量制御することにより、制御構成が簡易であり、負荷変動を速やかに検知し
て熱源の入口、出口間の温度差を大きくして熱源の負荷率を高い状態に維持することができる。
【００２４】
また、バランス管内の水温検出に基づいて特定の熱源に対応する熱源ポンプを流量制御することにより、負荷変動をより速やかに検知することができ、上記還流水一次温度と還流水二次温度との温度差に基づく制御を補間することができる。
【発明の効果】
【００２５】
本発明によれば、往ヘッダー内の熱源水の温度を検出する熱源水温度検出手段を設け、前記熱源水温度検出手段によって検出された温度に基づいて熱源の温度制御を行う制御手段を設けたことにより、バイパス管や流量計も不要で設備や工事が複雑にならず、簡易な制御で送水温度が上昇した冷水を負荷に送ることを防止し、二次側冷水送水温度の補償ができる。
【００２６】
さらに、熱源の流量制御により、熱源の負荷率を高い状態に維持できるので、空調装置の消費電力の削減を図ることができる。
【発明を実施するための最良の形態】
【００２７】
図１は、本実施形態に係る空調装置の構成を示すもので、ヘッダーを介して一次側を熱源とし、二次側を負荷とする密閉タイプの空調システムとして構成されている。ここでは、冷房運転を実施する状態に構成され、熱源として冷凍機５が配設されている。複数の冷凍機（熱源）５から送給される冷水（熱源水）は、往一次ヘッダー１ａ及び往二次ヘッダー１ｂから複数の負荷６に供給され、負荷６で熱交換により温度上昇した還流水を還一次ヘッダー２ａ及び還二次ヘッダー２ｂから冷凍機５に戻し、冷却により再び冷水として負荷６に送給する循環経路が形成されている。尚、図１において、本実施形態の構成及び制御に直接的に関与しないポンプやバルブ等の記載は省略している。
【００２８】
複数の冷凍機５は、それぞれ所定温度（例えば、７〜９℃）の冷水を送給できるように温度設定が可能であり、制御部４により設定温度が変更できる温度可変に構成されている。これら複数の冷凍機５から送給される冷水は往一次ヘッダー１ａに集束され、往ヘッダー間接続管路１ｃから往二次ヘッダー１ｂに送られ、往二次ヘッダー１ｂから複数の負荷６に分配送給される。
【００２９】
負荷６は空調機等であって、送給されてきた冷水と空気との間で熱交換を行って冷房用送風空気を冷却する。複数の負荷６において熱交換により温度上昇した冷水は還流水として還一次ヘッダー２ａに集束され、還ヘッダー間接続管路２ｃから還二次ヘッダー２ｂに送られ、還二次ヘッダー２ｂにより分配され、それぞれ冷水ポンプ（熱源ポンプ）３から複数の冷凍機５にそれぞれ還流する。前記冷水ポンプ３による運転流量は一定であるが、そのうち第１の冷凍機５−１に送水する第１の冷水ポンプ３−１については、制御部４により運転流量が調整される流量可変に構成されている。
【００３０】
また、往ヘッダー間接続管路１ｃと還ヘッダー間接続管路２ｃとの間にバランス管７が接続されており、一次側と二次側との間の流量に差が生じたとき、往ヘッダー間接続管路１ｃから還ヘッダー間接続管路２ｃに、あるいは還ヘッダー間接続管路２ｃから往ヘッダー間接続管路１ｃにバランス水流が流れる。
【００３１】
上記冷水の循環経路の要所における水温を検出するために、往ヘッダー間接続管路１ｃ内の水温Ｔ１を検出するに冷水温度センサ（熱源水温度検出手段）１１、還一次ヘッダー２ａの出口における水温Ｔ２を検出する還流水一次温度センサ（還流水一次温度検出手段）１２、還二次ヘッダー２ｂの入口における水温Ｔ３を検出する還流水二次温度センサ（還流水二次温度検出手段）１３、バランス管７内の水温Ｔ４を検出するバランス水温センサ（バランス管内水温検出手段）１４がそれぞれ配設され、各温度センサによる検出温度は制御部４に入力される。負荷の冷水入口温度をＳＰとする。
【００３２】
前記制御部４は、冷水温度センサ１１から入力された往ヘッダー間接続管路１ｃ内の水温Ｔ１とＳＰが一致するように冷凍機５の出口温度を制御すると共に、還流水一次温度センサ１２から入力される還一次ヘッダー２ａの出口水温Ｔ２と還流水二次温度センサ１３から入力される還二次ヘッダー２ｂの入口水温Ｔ３とが一致するように第１の冷水ポンプ３−１の運転を制御する。以下、図２に示すフローチャートを参照して制御部４による本空調装置の運転制御手順について説明する。尚、図２に示すＳ１，Ｓ２…は制御手順を示すステップ番号であって、本文中に添記する番号と一致する。
【００３３】
まず、各冷凍機５から送出される冷水の出口温度がＳＰ（例えば、９℃）になるように温度設定し（Ｓ１）、空調装置の運転を開始する。運転開始により冷水は負荷６に供給され、還流水として冷凍機５に戻され、冷却して再び送給する冷水の循環がなされるので、各温度センサは検出した温度を制御部４に入力する（Ｓ２）。
【００３４】
制御部４は、還流水一次温度センサ１２から入力される還一次ヘッダー２ａの出口水温Ｔ２と、還流水二次温度センサ１３から入力される還二次ヘッダー２ｂの入口水温Ｔ３とを比較し、Ｔ２＞Ｔ３であるか否かを判断し（Ｓ３）、Ｔ２＞Ｔ３である場合には、第１の冷水ポンプ３−１の運転流量を減少させて第１の冷凍機５−１に対する還流水の流量を減少させる（Ｓ４）。減少し続けてよいかは、バランス管７内の水温Ｔ４の急変により判断し（Ｓ６）、急変の場合、Ｓ３に戻りＴ２＝Ｔ３となっていると判断して、第１の冷水ポンプ３−１の運転流量を増加させて第１の冷凍機５−１に対する還流水の流量を増加させる（Ｓ５）。バランス管７内の水温Ｔ４が急変していない場合（Ｓ６）は、再度Ｔ２とＴ３を比較し（Ｓ７）、Ｔ２＝Ｔ３になるまで、第１の冷水ポンプ３−１の運転流量を減少し続ける（Ｓ３→Ｓ４→Ｓ６→Ｓ７→Ｓ３の繰返し）。
【００３５】
還流水一次温度センサ１２と還流水二次温度センサ１３とは、還ヘッダー間接続管路２ｃの両端での水温を検出しているので、還ヘッダー間接続管路２ｃにバランス管７から冷水の流入があったときには還流水に冷水が混合するので、還流水二次温度センサ１３の検出温度Ｔ３は低下してＴ２＞Ｔ３となる。即ち、バランス管７から還ヘッダー間接続管路２ｃに冷水が流れ込む状態は、負荷６が減少した状態と判断できるので、制御部４は制御ステップＳ４のように第１の冷水ポンプ３−１の運転流量を減少させて第１の冷凍機５−１に対する還流水の流量を減少させる制御を実行する。その結果、還ヘッダー間接続管路２ｃに流入する冷水の流量が減少してバランス管７に流れる冷水がなくなり、Ｔ２＝Ｔ３となる。この時、バランス管７内の水温Ｔ４の急変を監視することにより、流量の減少の停止及び増加を早めに行い、Ｔ２＝Ｔ３の安定した状態が実現可能となる。また、Ｔ２＞Ｔ３の状態は、冷凍機５の入口温度は低くなり、冷凍機５の出入り口温度差が小さく負荷率も低くなる。すなわち、上記の早めの流量変化により、Ｔ２＝Ｔ３を実現することが、冷凍機５の負荷率も高く維持し、消費電力を抑えることになる（負荷率と消費電力の関係は後述）。
【００３６】
また、バランス管７内を流れる水の温度Ｔ４はバランス水温センサ１４によって検出されて制御部４に入力されるので、バランス管内水温Ｔ４が急変したことが検出されたとき（Ｓ６）、負荷状態が変動したと判断できる。即ち、負荷６が増加すると、還ヘッダー間接続管路２ｃからバランス管７を通じて往ヘッダー間接続管路１ｃに還流水が流れるので、バランス水温センサ１４は温度上昇した還流水の温度（例えば、１７℃）を検出する。
【００３７】
逆に、負荷６が減少すると、往ヘッダー間接続管路１ｃからバランス管７を通じて還ヘッダー間接続管路２ｃに冷水が流れるので、バランス水温センサ１４は冷水の温度（例えば、９℃）を検出する。即ち、バランス管７内を流れる水の温度は流れ方向によって急変する。制御部４はバランス水温センサ１４の検出温度を監視することにより、前述した制御ステップＳ３〜Ｓ５の制御動作により第１の冷水ポンプ３−１による流量制御が正常になされたか否かを判断することもでき、制御の修正動作を実行することができる。
【００３８】
第１の冷水ポンプ３−１による流量調整が実行されることにより、バランス管７を通じた冷水又は還流水の流通はなくなるのでＴ２＝Ｔ３となり、負荷６に所定温度の冷水が所定量送給される（Ｓ７）。
【００３９】
また、制御部４は入力された検出温度を監視して、往ヘッダー間接続管路１ｃ内の水温Ｔ１とＳＰとの間に差が生じたとき（Ｓ８）、Ｔ１＞ＳＰである場合には、冷凍機５の設定温度を低い側に変更して冷凍機５から送出される冷水の出口温度ＳＰが低くなるように制御する（Ｓ９）。逆に、Ｔ１＜ＳＰである場合には、冷凍機５の設定温度を高い側に変更して冷凍機５から送出される冷水の出口温度が高くなるように制御する（Ｓ１０）。
【００４０】
負荷６の変動があると、往二次ヘッダー１ｂから負荷に送給される冷水の流量が変動するため、バランス管７に水流が発生する。負荷６が増加した場合には、往二次ヘッダー１ｂから負荷に送給される冷水の流量が増加するため、還ヘッダー間接続管路２ｃからバランス管７を通って往ヘッダー間接続管路１ｃに向かう水流が発生し、温度の高い還流水が冷凍機５から送出されてきた冷水に混合される。
【００４１】
従って、往ヘッダー間接続管路１ｃ内の冷水温度Ｔ１は上昇してＴ１＞ＳＰとなる、すなわち負荷６に送給する冷水の温度がＳＰ（例えば、９℃）より高くなるので、制御部４は制御ステップＳ９のように冷凍機５の設定温度を低い側に変更して冷凍機５から送出される冷水の出口温度が低くなるように制御する（Ｓ９）。この制御により往一次ヘッダー１ａに送給されてくる冷水の温度は低下し、バランス管７から往ヘッダー間接続管路１ｃに流入する温度の高い還流水と混合するので、往二次ヘッダー１ｂを流れる冷水温度Ｔ１はＴ１＝ＳＰとなる。例えば冷凍機５の出口温度を７℃に下げた場合、バランス管７からの約１６℃の還流水が流入しても、冷凍機５からの流量が多いため、Ｔ１＝９℃は可能である。
【００４２】
制御部４は、引き続き各センサからの検出温度入力を監視して、Ｔ２＝Ｔ３及びＴ１＝ＳＰの条件が崩れたとき、制御ステップＳ３以降の制御動作を実行する。
【００４３】
以上説明した空調装置の構成及び制御方法により、各冷凍機５の入口側温度（還流水温度）と出口側温度（冷水温度）との差が大きく、各冷凍機５を高い負荷率で運転させることができる。冷凍機５の特性は、図３のグラフに示すように、冷却能力が高い状態で運転する方が消費電力に対する比率がよくなるので、各冷凍機５を高い負荷率で運転することが望ましく、負荷６の増加で冷凍機５の冷却能力が１００％を越えるような状態にならない限り冷凍機５を増段せず、少ない冷凍機を高い負荷率で運転させることにより消費電力を抑えた空調装置の運転が可能となる。図３の縦軸の消費電力比、横軸の冷却能力比は、それぞれ定格値に対する割合で％表示している。
【００４４】
尚、上記実施形態は熱源として冷凍機を用いた冷房運転時の構成及び制御方法を示したが、熱源として加熱機を用いることにより暖房運転の構成及び制御方法を同様に実施することができる。
【００４５】
また、本実施形態では、バランス管７を往ヘッダー間接続管路１ｃと還ヘッダー間接続管路２ｃとの間に設けたが、少なくとも一方に往二次ヘッダー１ｂまたは還二次ヘッダー２ｂを接続しなければ、往ヘッダーと還ヘッダーの接続位置は問わない。各二次ヘッダーへの接続は、バランス管７からの流入水が十分に混合されないまま、負荷や熱源に供給されるからである。
【００４６】
また、二次側冷水送水温度の補償のみを行ないたい場合は、還流水一次温度センサ（還流水一次温度検出手段）１２、還流水二次温度センサ（還流水二次温度検出手段）１３、バランス水温センサ（バランス管内水温検出手段）１４、第１の冷水ポンプ３−１についての流量可変の構成および図２におけるＳ３〜Ｓ７の制御手順も不要となり、簡単な構成、制御で、送水温度が上昇した冷水を負荷に送ることを防止できる。
【００４７】
以上の説明の通り本発明によれば、配管接続構造と要所への温度検出手段の配設とにより、負荷変動に伴う一次側と二次側との間の流量バランスの崩れを速やかに検出し、制御手段により熱源の温度制御と流量制御とを実行し、熱源の負荷率を高い状態に維持する制御がなされる。従って、比較的規模が大きい空調装置を設置する設備や工事のコストを削減し、消費電力の削減によるランニングコストの減少を図ることができる。
【産業上の利用可能性】
【００４８】
本発明の空調装置及びその制御方法は、熱源で生成された熱源水を往ヘッダーを介して負荷に供給し、負荷で熱交換がなされた還流水を環ヘッダーを介して熱源に戻し、熱回復させて再び負荷に供給する空調装置に利用することが可能である。
【図面の簡単な説明】
【００４９】
【図１】実施形態に係る空調装置の構成を示すブロック図
【図２】同上空調装置の制御手順を示すフローチャート
【図３】冷凍機の冷却能力と消費電力との関係を示すグラフ
【図４】従来技術に係る空調装置の構成を示すブロック図
【符号の説明】
【００５０】
１ａ    往一次ヘッダー
１ｂ    往二次ヘッダー
１ｃ    往ヘッダー間接続管路
２ａ    還一次ヘッダー
２ｂ    還二次ヘッダー
２ｃ    還ヘッダー間接続管路
３−１    第１の冷水ポンプ（第１の熱源ポンプ）
３    冷水ポンプ（熱源ポンプ）
４    制御部（制御手段）
５    冷凍機（熱源）
６    負荷
７    バランス管
１１    冷水温度センサ（熱源水温度検出手段）
１２    還流水一次温度センサ（還流水一次温度検出手段）
１３    還流水二次温度センサ（還流水二次温度検出手段）
１４    バランス水温センサ（バランス管内水温検出手段）
【図１】
2006132918.tif 000003
【図２】
2006132918.tif 000004
【図３】
2006132918.tif 000005
【図４】
2006132918.tif 000006